(57)【要約】【課題】風圧を逃がしつつ、雪庇が形成される早い段階で雪庇を風の流動と太陽の輻射熱により雪塊に分割して落下させ、地上の人や物に対する安全を確保する。また、雪庇分割体の高さ調節と、嵩上げも可能で降雪地や冬期の積雪量に対応することができる建造物用雪庇形成防止装置を提供する。【解決手段】建造物５１の上面５１Ａ上に、外面に沿って略垂直状態に設置する支持体１は、取付基部２と、取付基部２の先端に起立するスライドレール３とから構成してある。スライドレール３に高さ調節可能に設けた取付ボルトに雪庇分割体１１を締着する。雪庇分割体１１は丸穴からなる多数の雪庇分割穴１１Ｂを有する多孔板を用いている。【選択図】  図１
0003135197.tif 000002
【実用新案登録請求の範囲】
【請求項１】
建造物の上面に設置する支持体と、前記建造物の外面に沿って該支持体に略垂直状態に支持され、雪庇を小さい雪塊に分割して落下させる面状の雪庇分割体とから構成してなる建造物用雪庇形成防止装置。
【請求項２】
前記支持体は、前記建造物の上面に固定する取付基部と、該取付基部から起立し、前記雪庇分割体を任意の高さに調整可能に支持するスライドレールとから構成してあることを特徴とする請求項１記載の建造物用雪庇形成防止装置。
【請求項３】
前記スライドレールの上端に、嵩上げ用スライドレールを連結可能に構成してあることを特徴とする請求項２記載の建造物用雪庇形成防止装置。
【請求項４】
前記雪庇分割体は、多孔板、ワイヤメッシュ又は格子板であることを特徴とする請求項１記載の建造物用雪庇形成防止装置。
【請求項５】
前記雪庇分割体は、前記建造物の上面との間に通気用開口を存するように離間して設置してあることを特徴とする請求項１記載の建造物用雪庇形成防止装置。
【考案の詳細な説明】
【技術分野】
【０００１】
本考案は、例えばビルディングの屋上縁、トンネルの坑道口等、種々の建造物に雪庇が形成されるのを防止する建造物用雪庇形成防止装置に関する。
【背景技術】
【０００２】
降雪地における建造物の屋上では、図１１に示すように、積雪Ｓに吹付ける風が建造物５１の上面５１Ａから外面５１Ｂ側の風下側に流れ込むと、風速が６０％程度まで急激に落ちて下方向に風が巻込むため、屋根上の積雪Ｓが外縁から迫り出して雪庇が形成される。形成された雪庇は積雪Ｓ、風及び気温の変化によって更に大きく成長し、やがては気温の上昇や自重で雪塊となって落下する。この雪庇は密度が高く、表面が氷結状態になっていることから、落下する雪塊によって歩行者が負傷する事故や、地上の物を損壊する事故を招いている。
【０００３】
そこで、例えば、傾斜面を風上側に向けた状態で設置される雪庇発生防止装置において、上記傾斜面が、水平面より４５°〜６０°程度起立した下部傾斜板と、その上方に連続し水平面より７５°〜８０°程度起立した上部傾斜板とから構成したものが提案されている（特許文献１）。
【特許文献１】第３７３１１２４号特許公報
【考案の開示】
【考案が解決しようとする課題】
【０００４】
上述した従来技術による雪庇発生防止装置は、積雪が上部傾斜板の上端近くにまで達し、この間に気温の変化で表面側が氷結状態になった場合には風圧で飛ばすことは出来ないという欠点がある。また、該装置は下部及び上部の傾斜板が風圧を全面的に受けて上方に誘導する構造であるため、それ自体高い強度性が求められるし、建造物に強固に設置する必要があると共に、建造物を損傷する虞もあり、また工事費が嵩むという問題もある。
【０００５】
本考案は上述した従来技術の欠点や未解決の問題点に鑑みなされたもので、風圧を逃がしつつ、雪庇が形成される早い段階で風の流動と太陽の輻射熱により雪庇を小さな雪塊に分割して落下させるので地上の人や物に対する安全を確保することができるし、また雪庇分割体の高さ調節と、嵩上げも可能であるから、降雪地や冬期の積雪量に対応することができる建造物用雪庇形成防止装置を提供することを目的とする。
【課題を解決するための手段】
【０００６】
上述した課題を解決するために構成された本考案の手段は、建造物の上面に設置する支持体と、前記建造物の上面外縁に沿って該支持体に略垂直状態に支持され、雪庇を小さい雪塊に分割して落下させる面状の雪庇防止体とからなる。
【０００７】
そして、前記支持体は、前記建造物の上面に固定する取付基部と、該取付基部から起立し、前記雪庇分割体を任意の高さに調整可能に支持するスライドレールとから構成してある。
【０００８】
また、前記スライドレールの上端に、嵩上げ用スライドレールを連結可能に構成してある。
【０００９】
更に、前記雪庇分割体は、多孔板、ワイヤメッシュ又は格子板で構成するとよい。
【００１０】
また、前記雪庇分割体は、前記建造物の上面との間に通気用開口を存するように離間して設置する構成にするとよい。
【考案の効果】
【００１１】
本考案は上述の如く構成したから、下記の諸効果を奏する。
（１）建造物の上面に設置する支持体に、建造物の外面に沿って略垂直状態に雪庇分割体を設け、風と太陽の輻射熱と自重によって雪庇を多数の雪庇分割穴で小さな雪塊に分割して落下させるから、地上の人や自動車その他の物を損傷する事態を防止できる。
（２）支持体は雪庇分割体を任意の高さに調整可能に支持する構成にしてあるから、降雪量や建造物の屋上の形状、風向きなどの諸条件に対応した高さに設置することができる。
（３）スライドレールの上端に嵩上げ用スライドレールを連結可能に構成してあるから、積雪量の多い年や多雪地域での使用に容易に対応することができる。
（４）雪庇分割体は、多孔板、ワイヤメッシュ又は格子板で構成することにより、降雪地の粉雪、べた雪などの雪質に適切な雪庇分割体を用いることができるし、適度の大きさの雪塊に分割することができる。
（５）雪庇分割体は建造物の上面との間に通気用開口を存するように離間して設置したから、積雪量が少ない場合にも通気用開口を介して風を流動させることによって積雪を飛ばし、雪庇の形成を早期に予防することができる。
【考案を実施するための最良の形態】
【００１２】
以下、本考案の実施の形態を図面に基づき詳述する。図１及び図２において、１は建造物５１を構成するパラペットの上面５１Ａに設置する支持体を示す。２は該支持体１を構成する取付基部で、該取付基部２は長方形の板状に形成した固定板２Ａと、該固定板２Ａの先端から上方に突出する連結板２Ｂとを金属材により略Ｌ字状に一体に形成したものからなっており、固定板２Ａ及び連結板２Ｂには２個ずつボルト挿通穴２Ｃ、２Ｃ、・・が形成してある。
【００１３】
３は前記取付基部２に立設したスライドレールを示す。該スライドレール３は、縦長帯状の連結材３Ａと、該連結材３Ａの幅方向両端に固着され、先端縁３Ｂ１が内向きに突出した略ロ字状のレール形成材３Ｂとから構成することにより、内部がレール溝３Ｃになり、両先端縁３Ｂ１の間は縦方向のスリット３Ｄになっている。そして、レール溝３Ｃには下端側から平角棒状の受け金具４を挿嵌し、スライドレール３の上端には樹脂キャップ５が嵌脱可能に嵌着するようになっている。
【００１４】
６、６は前記スライドレール３に摺動自在に嵌合した２個の取付ボルトを示す。該各取付ボルト６には四角ボルトを用いており、四角頭部６Ａはレール溝３Ｃ内で摺動し、スリット３Ｄから前方に突出するボルト部６Ｂにはナット６Ｃを締着するようになっている。
【００１５】
なお、図２において、７はスライドレール３を取付基部２に連結して補強するための円弧状の控え補強材で、該控え補強材７はＬ型ブラケット８、８を介して取付基部２とスライドレール３に接続してある。９、９は固定板２Ａの下面とパラペット５１Ａとの間に挟装する止水ゴム座、１０、１０は取付基部２をパラペットの上面５１Ａに固定するアンカーボルトである。
【００１６】
他方、図において、１１は前記支持体１に支持され、建造物５１の外面５１Ｂに沿って略垂直状態に配設される雪庇分割体を示す。該雪庇分割体１１は横長四角形の平面部１１Ａに丸穴からなる多数の雪庇分割穴１１Ｂを上下２列に形成した多孔板からなり、上縁１１Ｃと下縁１１Ｄは斜め外方に屈曲形成して雪庇を外方に排出し易くしてある。そして、雪庇分割体１１は、上端側及び下端側にスライドレール３に取着するための取付け用ボルト穴１２、１２、・・・が横方向に離間して複数個穿設してある。
【００１７】
本実施の形態は上述の構成からなるが、次にその設置と作用について説明する。先ず、スライドレール３のレール溝３Ｃ内に受け金具４を下方から挿嵌し、この受け金具４と取付基部２の連結板２Ｂをビス止めし、スライドレール３の上端側と取付基部２の後端側にＬ型ブラケット８、８を介して控え補助材７をビス止めする。このようにして立設したスライドレール３のレール溝３Ｃ内に取付ボルト６、６を嵌入し、上端側に樹脂キャップ５を嵌着する。そして、各取付ボルト６をレール溝３Ｃ内で上下させ、ボルト部６Ｂを雪庇分割体１１のボルト穴１２に挿嵌してナット６Ｃを締着することにより、支持体１に雪庇分割体１１を略垂直状態に設置する。
【００１８】
このようにして組立てた建造物用雪庇形成防止装置は、止水用ゴム座９、９を介してパラペットの上面に５１Ａからアンカーボルト１０、１０を螺入して固定することにより、雪庇分割体１１は建造物５１の上面５１Ａに外面５１Ｂに沿って略垂直状態に、かつ上面５１Ａから離間して設置してある。そして、隣接する雪庇分割体１１、１１同士は、パネル連結材１３とビスで連結することによって強度性を持たせてある。かくして、図３に示すように、建造物５１の上面５１Ａ上には雪庇分割体１１との間の第１の開口Ａ１、雪庇分割体１１に形成した下側の複数の雪庇分割穴１１Ｂによる第２の開口Ａ２、上側の複数の雪庇分割穴１１Ｂによる第３の開口Ａ３が形成されており、積雪量に対応する風の流路を確保して雪庇の形成防止を図るようにしてある。
【００１９】
次に、建造物用雪庇形成防止装置の作用について説明する。図３に示すように、積雪量が少ない段階では、風は積雪Ｓの上を流れて第１の開口Ａ１から外方に流動し、この間に積雪Ｓを飛ばすことで雪庇の形成を早期に防止している。また、図４−１に示すように、建造物５１上に第１の開口Ａ１を塞ぐ程度の積雪Ｓはあるが、第２の開口Ａ２（又は第３の開口Ａ３）が開放している場合、積雪Ｓ上を流動する風Ｗは第２の開口Ａ２（第３の開口Ａ３）を形成する雪庇分割穴１１Ｂ、１１Ｂ、・・を通過する際に速度が上昇することにより、積雪Ｓを飛ばすことから雪庇の形成を抑制することができる。また、雪庇分割穴１１Ｂ側に押し出されて雪庇分割体１１に圧接した積雪Ｓは、雪庇分割穴１１Ｂから外方に押出され、風や太陽の輻射熱及び自重によって雪庇分割穴１１Ｂで分割されて小さな雪塊Ｆになって落下する。
【００２０】
他方、図４−２に示すように、積雪Ｓが雪庇防止体１１の上端にまで達すると風Ｗは積雪Ｓの上面を流動するだけであるが、風と気温の変化によって建造物５１の上面５１Ａの積雪Ｓは次第に成長して雪庇分割体１１に圧接し、各雪庇分割穴１１Ｂから外側に押出されて分割され、小さな雪塊Ｆとなって落下する。このように、建造物５１上の積雪Ｓは雪庇に成長する前の早い段階で、雪庇分割体１１によって雪塊Ｆに分割して落下させるので、歩行者や設置物などにとって極めて安全である。
【００２１】
また、図５は積雪Ｓが雪庇分割体１１の上端にまで達した状態を示しているが、図５−１に示すように太陽の輻射熱によって雪庇分割体１１と積雪Ｓとの間に隙間が形成されると、この隙間に風Ｗが流入して第２の開口Ａ２及び第３の開口Ａ３の雪庇分割穴１１Ｂに抜けることにより積雪Ｓを飛ばし、また輻射熱も関与して雪庇の形成を防止している。積雪Ｓが雪庇分割体１１を越える高さになると、図５−２に示すように積雪Ｓは雪庇分割体１１に圧接し、図４−２で説明したのと同じ現象で雪塊Ｆに分割されて落下する。
【００２２】
次に、図６及び図７は、第２の実施の形態に係る建造物用雪庇形成防止装置を示す。その特徴とするところは、スライドレール３の上端に嵩上げ用スライドレール２１を連結可能にしたことにある。該嵩上げ用スライドレール２１は、スライドレール３と同様の構成からなるレール本体２２の下端に、断面四角形の棒状に形成した連結挿入材２３を下向きに突設して構成してあり、長さ方向の途中に締結ねじ２４を螺合するねじ穴２３Ａが刻設してある。嵩上げ用スライドレール２１の上端には樹脂キャップ５を嵌着する。
【００２３】
嵩上げ用スライドレール２１は上述の構成からなり、樹脂キャップ５を外したスライドレール３のレール溝３Ｃに連結挿入材２３を挿入し、締結ねじ２４をスライドレール３の外側からスリット３Ｄを介してねじ穴２３Ａを螺合して締結することにより、嵩上げ用スライドレール２１をスライドレール３上に一体に連結することができる。そして、このようにして立設した嵩上げ用スライドレール２１には、第１の実施の形態と同じ手順で雪庇分割体１１を取付けて設置することができる。
【００２４】
本実施の形態によれば、上下２段に雪庇分割体１１、１１を設けることにより、降雪量の多い年や積雪量の多い地域においても、嵩上げスライドレール２１と雪庇分割体１１を用いることで雪庇の形成を防止することが出来る。
【００２５】
更に、図８乃至図１０は第３の実施の形態を示し、その特徴とするところは雪庇分割体３１にワイヤメッシュを用いたことにある、３２は該雪庇分割体３１をスライドレール３に締結するための固定金具で、該固定金具３２は外側に僅かに凸湾曲面に形成した四角形の押え板３２Ａと、該押え板３２Ａの凹湾曲面側に突設され、雪庇分割体３１の線材に係止する複数の係止片３２Ｂ、３２Ｂ、・・・と、押え板３２Ａの略中央に形成され、四角ボルト６が挿通するボルト穴３２Ｃとから構成してある。
【００２６】
そして、スライドレール３に雪庇分割体３１を当接し、外側から固定金具３２を当てがい、スライドレール３に挿嵌した取付ボルト６をボルト穴３２Ｃに挿通してナット６Ｃを締着することにより、固定金具３２は雪庇分割体３１をスライドレール３に強固に取付けてある。
【００２７】
この構成によれば、雪庇分割体３１に接した積雪Ｓは太陽の輻射熱によって温度が上昇した雪庇分割体３１によって細かく分割され、小さい雪塊Ｆとなって順次落下するので極めて安全性が高い。また、雪庇分割体３１は通気性に優れているから、風によって積雪Ｓを飛ばす効果が高いことで雪庇の形成を予防できるし、風力が強い地域では風圧を逃がすことで雪庇形成防止装置への負荷を大幅に減少することができるので、耐久性に優れていると共に建造物５１を傷めることがない。
【００２８】
なお、上述した実施の態様では多孔板からなる雪庇分割体１１、ワイヤメッシュからなる雪庇分割体３１を用いたが、格子板を用いることもできる。
【図面の簡単な説明】
【００２９】
【図１】図１乃至図５は本考案の第１の実施の形態に係り、図１は建造物用雪庇形成防止装置の設置状態を示す斜視図である。
【図２】建造物用雪庇形成防止装置の分解斜視図である。
【図３】建造物用雪庇形成防止装置によって形成される空間の説明図である。
【図４−１】雪庇の形成過程を示す説明図である。
【図４−２】雪庇を分割して落下させる状況の説明図である。
【図５−１】風により雪庇の形成を防止している状態の説明図である。
【図５−２】雪庇を雪塊に分割して落下させる状況の説明図である。
【図６】図６及び図７は第２の実施の形態に係り、図６は建造物用雪庇形成防止装置を分解して示す正面図である。
【図７】図６の左側面図である。
【図８】図８乃至図１０は第３の実施の形態に係り、図８は建造物用雪庇形成防止装置の部分正面図である。
【図９】図８の左側面図である。
【図１０】固定金具の使用状態を示す説明図である。
【図１１】雪庇の形成原理を示す説明図である。
【符号の説明】
【００３０】
１      支持体
２      取付基部
３      スライドレール
１１    雪庇分割体
２１    嵩上げ用スライドレール
３１    ワイヤメッシュ（雪庇分割体）
５１    建造物
５１Ａ  上面
５１Ｂ  外面
【図１】
0003135197.tif 000003
【図２】
0003135197.tif 000004
【図３】
0003135197.tif 000005
【図４−１】
0003135197.tif 000006
【図４−２】
0003135197.tif 000007
【図５−１】
0003135197.tif 000008
【図５−２】
0003135197.tif 000009
【図６】
0003135197.tif 000010
【図７】
0003135197.tif 000011
【図８】
0003135197.tif 000012
【図９】
0003135197.tif 000013
【図１０】
0003135197.tif 000014
【図１１】
0003135197.tif 000015